(57)【要約】【課題】レンズ鏡筒のズーム動作を、耐衝撃性を有しながら簡単な構成で連続的に行うことができ、且つ小型化を図ることができるレンズ鏡筒を提供する。【解決手段】ズーム枠と、ズーム枠を光軸方向に移動させるための第１のカム部と、ズーム枠を光軸方向にさらに移動させるため、第１のカム部のテーパ角θ１より大きいテーパ角θ２を有し該第１のカム部から連続して形成された第２のカム部とからなるカム溝を有するカム枠と、ズーム枠に設けられ、第１のカム部と第２のカム部との間を順次に係合可能で、第１のカム部に係合しているときは第１のカム部のみに係合して摺動する外周３５ａと、第２のカム部と係合しているときは第２のカム部のみに係合して摺動する外周３５ｂとを有して、カム溝中を連続して摺動するカムフォロア３５と、を具備したことを特徴とする。【選択図】図１８
2008209954.tif 000002
【特許請求の範囲】
【請求項１】
第１の枠と、
上記第１の枠を光軸方向に移動させるための第１のカム部と、上記第１の枠を上記光軸方向にさらに移動させるため、該第１のカム部のテーパ角より大きいテーパ角を有し該第１のカム部から連続して形成された第２のカム部とからなるカム溝を有するカム枠と、
上記第１の枠に設けられ、上記第１のカム部と上記第２のカム部との間を順次に係合可能で、上記第１のカム部に係合しているときは上記第１のカム部のみに係合して摺動する第１のテーパ部と、上記第２のカム部と係合しているときは上記第２のカム部のみに係合して摺動する第２のテーパ部とを有して、上記第１の枠が上記光軸方向に移動する際は、上記第１のテーパ部と上記第２のテーパ部とのいずれかが上記カム溝中を連続して摺動する第１のカムフォロアと、
を具備したことを特徴とするレンズ鏡筒。
【請求項２】
第１の枠と、
第２の枠と、
上記第１の枠を光軸方向に移動させるための第１のカム部と、上記第１の枠と上記第２の枠とを上記光軸方向に移動させるため、該第１のカム部のテーパ角より大きいテーパ角を有し該第１のカム部から連続して形成された第２のカム部とからなるカム溝を有するカム枠と、
上記第１の枠に設けられ、上記第１のカム部と上記第２のカム部との間を順次に係合可能で、上記第１のカム部に係合しているときは上記第１のカム部のみに係合して摺動する第１のテーパ部と、上記第２のカム部と係合しているときは上記第２のカム部のみに係合して摺動する第２のテーパ部とを有して、上記第１の枠が上記光軸方向に移動する際は、上記第１のテーパ部と上記第２のテーパ部とのいずれかが上記カム溝中を連続して摺動する第１のカムフォロアと、
上記第２の枠に設けられ、該第２の枠が上記光軸方向に移動する際は、上記第２のカム部のみに係合していて摺動する第２のカムフォロアと、
を具備したことを特徴とするレンズ鏡筒。
【発明の詳細な説明】
【技術分野】
【０００１】
本発明は、レンズ鏡筒、詳しくは、鏡枠を進退可能なレンズ鏡筒に関する。
【背景技術】
【０００２】
近年、普及しているコンパクトズームカメラでは、ワイド状態からテレ状態までのズーム撮影範囲をカバーするようにレンズ鏡筒が進退しなければならない。また、携帯時にはコンパクトとなるようにワイド状態からテレ状態といった撮影状態からズームレンズ鏡筒がカメラ本体内に収納された所謂、沈胴（収納）状態まで移動可能なズームレンズ鏡筒が実用に供されている。
【０００３】
さらに、近年、ズーム倍率の高倍率化が求められており、これによってワイド状態、または、収納状態での鏡筒の長さと、テレ状態にするときの鏡筒の長さとの差が更に大きくなってくる。これに対応するため、より長い長さまで伸長できる鏡枠構造として、鏡枠の多段化、即ち、多段化した鏡枠構造を備えたズームレンズ鏡筒が必要とされている。
【０００４】
ところで、このようなズームレンズ鏡筒を備えたカメラは、携帯性の点から小型化が望まれており、それに伴って、ズームレンズ鏡筒自体の小型化も望まれるといった事情がある。このような要望に鑑み、従来より数多くの提案がなされている。特に本発明に係る関連技術としては、例えば特許文献１乃至特許文献４に記載された沈胴可能なレンズ鏡筒がある。
【０００５】
特許文献１に開示されたレンズ鏡筒は、ズーム鏡筒を３段繰り出し機構とし、最外周に固定筒があり、この中のギヤとカムにより、内側のレンズ枠を沈胴位置から撮影可能な突出位置まで移動させて、ワイド位置からテレ位置までズーミングを行う構造を有したものである。
【０００６】
また、特許文献２に開示されたレンズ鏡筒は、沈胴位置から撮影可能な突出位置までの移動は送りネジで行い、その後、外周の回転枠を回転させることにより、ズーミングを行う構造のものである。
【０００７】
さらに、特許文献３または特許文献４に開示されたレンズ鏡筒は、鏡筒の沈胴位置から撮影可能な突出位置までのセットアップ繰り出し動作と、ズーム動作領域での繰り出し動作を行うための切換駆動が可能なものである。このレンズ鏡筒は、上記鏡枠の沈胴位置から突出位置への繰り出し動作を行うためのセット用ギヤと、上記突出位置にて鏡枠を回動駆動して、ズーム駆動を行うためのズーム用ギヤの別々の駆動源で駆動される２つのギヤを有している。
【特許文献１】特開平７−２７９６３号公報
【特許文献２】特開平８−３１３７８８号公報
【特許文献３】特開平１１−７２６８２号公報
【特許文献４】特開２０００−８９０７７号公報
【発明の開示】
【発明が解決しようとする課題】
【０００８】
しかしながら、特許文献１に記載のレンズ鏡筒は、鏡枠を沈胴位置から突出位置、さらにワイドからテレ位置まで１つのカムで移動させているため、繰り出し量が大きい場合は、カムのリード角が大きくなり、このため負荷が大きくなってしまう。一方、カムのリード角を小さくするには、鏡枠の径を大きくすることで、ある程度は可能であるが、その場合には、レンズ鏡筒の小型化を図ることができない。つまり、負荷を大きくすることなくレンズ鏡筒の小型化を図ることができなかった。
【０００９】
また、特許文献２乃至４に記載のレンズ鏡筒は、沈胴位置から突出位置までの移動と、この突出位置でのズーム駆動用とに動力を切り換える必要があり、切換機構が複雑となり、レンズ鏡筒の小型化を図ることができない。また、動力を切り換えるための切換時間も必要なため、迅速な駆動が行えないといった欠点もあった。
【００１０】
さらに、特許文献３では、レンズ鏡筒にセット用ギヤとズーム用ギヤという軸方向に長く、径も比較的大きい部材を２つ配置する必要があるため、レンズ鏡筒の小型化を図ることができなかった。
【００１１】
また、鏡枠を、沈胴位置とテレ位置との間において、１つのカムで移動させる場合、カムのテーパ角を大きいと、レンズ鏡筒が外部から衝撃を受けた際、カムから鏡枠のカムフォロアが外れやすくなってしまうといった問題があった。
【００１２】
本発明は上記事情に鑑みてなされたものであり、その目的は、レンズ鏡筒のズーム動作を、耐衝撃性を有しながら簡単な構成で連続的に行うことができ、且つ小型化を図ることができるレンズ鏡筒を提供するにある。
【課題を解決するための手段】
【００１３】
上記目的を達成するため本発明によるレンズ鏡筒は、第１の枠と、上記第１の枠を光軸方向に移動させるための第１のカム部と、上記第１の枠を上記光軸方向にさらに移動させるため、該第１のカム部のテーパ角より大きいテーパ角を有し該第１のカム部から連続して形成された第２のカム部とからなるカム溝を有するカム枠と、上記第１の枠に設けられ、上記第１のカム部と上記第２のカム部との間を順次に係合可能で、上記第１のカム部に係合しているときは上記第１のカム部のみに係合して摺動する第１のテーパ部と、上記第２のカム部と係合しているときは上記第２のカム部のみに係合して摺動する第２のテーパ部とを有して、上記第１の枠が上記光軸方向に移動する際は、上記第１のテーパ部と上記第２のテーパ部とのいずれかが上記カム溝中を連続して摺動する第１のカムフォロアと、を具備したことを特徴とする。
【００１４】
また、第１の枠と、第２の枠と、上記第１の枠を光軸方向に移動させるための第１のカム部と、上記第１の枠と上記第２の枠とを上記光軸方向に移動させるため、該第１のカム部のテーパ角より大きいテーパ角を有し該第１のカム部から連続して形成された第２のカム部とからなるカム溝を有するカム枠と、上記第１の枠に設けられ、上記第１のカム部と上記第２のカム部との間を順次に係合可能で、上記第１のカム部に係合しているときは上記第１のカム部のみに係合して摺動する第１のテーパ部と、上記第２のカム部と係合しているときは上記第２のカム部のみに係合して摺動する第２のテーパ部とを有して、上記第１の枠が上記光軸方向に移動する際は、上記第１のテーパ部と上記第２のテーパ部とのいずれかが上記カム溝中を連続して摺動する第１のカムフォロアと、上記第２の枠に設けられ、該第２の枠が上記光軸方向に移動する際は、上記第２のカム部のみに係合していて摺動する第２のカムフォロアと、を具備したことを特徴とする。
【発明の効果】
【００１５】
本発明によれば、レンズ鏡筒のズーム動作を、耐衝撃性を有しながら簡単な構成で連続的に行うことができ、且つ小型化を図ることができるレンズ鏡筒を提供することができる。
【発明を実施するための最良の形態】
【００１６】
以下、図示の実施の形態によって本発明を説明する。  
図１、図２は、本発明によるレンズ鏡筒が組み込まれたカメラの外観を示す斜視図であり、図１はバリア閉状態、図２はバリア開状態をそれぞれ示している。図３は、本発明の一実施形態を示すレンズ鏡筒の繰り出し状態での外観を示す図である。
【００１７】
なお、以下の説明において、撮影レンズ光軸Ｏに沿う前後（被写体側と結像側）方向をＺ方向とし、Ｚ方向に対する左右の水平方向をＸ方向とし、Ｚ方向に対する上下方向をＹ方向とする。また、回転方向は、前方被写体側からみた回転方向で示す。
【００１８】
図１に示すカメラは、撮像素子で取り込まれた被写体の画像信号をデジタル信号に変換してメモリカード等に記録することが可能なデジタルカメラである。このカメラ本体１の外装筐体は、図１，図２に示すように前カバー２と、中カバー３と、後カバー４からなり、前カバー２には、その前面部に後述する撮影レンズ４７，ファインダ窓６等の前面を開閉するスライド操作可能なレンズバリア５が配設されている。
【００１９】
前カバー２と、中カバー３と、後カバー４は、カメラの外観面を形成する外装部材となる金属薄板により形成されており、それぞれその内側には、補強および組み付けのための合成樹脂からなる各内枠部材が接着固定されている。
【００２０】
前カバー２には、その前面部に沈胴可能なズームレンズ鏡筒である撮影レンズ鏡筒（以下、レンズ鏡筒と記載）１０と、ファインダ窓６と、ストロボ発光窓７等が配設されている。レンズ鏡筒１０，ファインダ窓６，ストロボ発光窓７等の前面部分は、上述したようにスライド可能なレンズバリア５により開閉される。図１に示すように、レンズバリア５が右側閉鎖位置にあるときには、レンズ鏡筒１０は、沈胴（収納）位置に繰り込まれており、前面部分が閉鎖されて撮影不可能な状態となっている。一方、図２に示すように、レンズバリア５が左方開放位置にあるときには、レンズ鏡筒１０の前面部分が開放され、該レンズ鏡筒１０は、撮影可能な位置に繰り出された状態となる。
【００２１】
さらに、中カバー３の上面部には、レリーズスイッチ操作釦８が配設され、後カバー４の背面上部には、ファインダ接眼窓９が配設されている。
【００２２】
レンズ鏡筒１０は、沈胴可能なズームレンズ鏡筒であって、図３に示すようにカメラ本体１の内部に固定支持される支持枠（以下、固定枠と称す）１１と、該固定枠１１に回転，進退自在に支持され、撮影状態で固定枠１１より前方に繰り出される回転枠（以下、カム枠と称す）１５およびズーム枠１６を有している。
【００２３】
カム枠１５及びズーム枠１６内には、後述するズーム光学系を構成する１群レンズ４７，２群レンズ４８（図５参照）が配設されている。尚、固定枠１１の前端側は、前カバー２に装着された鏡筒保持枠７１（図２参照）により支持されている。また、固定枠１１からはシャッタ駆動制御回路，フォーカス駆動制御回路用の２つのフレキシブルプリント基板（以下、ＦＰＣと記載する）１１０，１０９が導出しており、さらに、固定枠１１に装着される、後述するズーム駆動ユニット１３からは、ズーム駆動制御回路用ＦＰＣ１０８が導出している。ＦＰＣ１０８，１０９，１１０は、図示しないカメラ内部の制御部に接続される。また、固定枠１１には、後述するズームファインダ駆動用ギア７５が配設されている。以下、レンズ鏡筒１０の構造の詳細について説明する。
【００２４】
図４は、レンズ鏡筒の固定枠側の分解斜視図であり、図５は、レンズ鏡筒のカム枠側の分解斜視図である。図６〜８は、レンズ鏡筒１０の各動作状態での上半部を断面にして示した拡大縦断面図であって、図６が沈胴状態、図７がワイド状態、図８がテレ状態をそれぞれ示している。
【００２５】
図４，図５に示すように、レンズ鏡筒１０の主要な構成部材としては、カメラ本体１（図１参照）に固定支持される固定枠１１と、該固定枠１１の外周部に取り付けられ、ズームモータ２４を有するズーム駆動ユニット１３と、前記固定枠１１の後方側に固定される固体撮像素子であるＣＣＤ６２（図６参照）を内蔵するためのＣＣＤユニット１２と、後述するズーム枠１６，２群枠２０を直進ガイドするためのフロートキー１４と、固定枠１１に嵌入し、沈胴位置と撮影位置との間を回動しながら進退し、かつ、撮影位置でワイド回動位置からテレ回動位置間を回動するカム枠１５と、該カム枠１５に進退自在に嵌入し、フロートキー１４により直進ガイドされ、沈胴位置と撮影位置との間を進退移動するズーム枠１６と、該ズーム枠１６内に固着され、フォーカスモータ４１を有する合焦駆動枠ユニット１７と、ズーム枠１６内に進退自在に支持され、前記合焦駆動枠ユニット１７により合焦駆動される１群枠１９（第１のレンズ枠）と、カム枠１５内に進退自在に嵌入する２群枠２０（第２のレンズ枠）と、該２群枠２０に固定支持され、開閉可能な２枚のシャッタ羽根４９，５０およびＮＤフィルタ５１を有するシャッタユニット２１と、１群枠１９に保持される１群レンズ４７と、２群枠２０に保持される２群レンズ４８と、ズーム枠１６の先端部と１群枠１９の先端部の間に配置される遮光ゴム７２（図６参照）と、カム枠１５の先端部とズーム枠１６の後述する金属筒３２の外周の間に配置される遮光ゴム７３（図６参照）と、固定枠１１の先端部とカム枠１５の後述する金属筒３１の外周の間に配置される遮光ゴム７４（図６参照）と、シャッタユニット２１の背面部に配される遮光シート５５とを有してなる。
【００２６】
固定枠１１は、開口部１１ａを有する円環状部材であって、その外周部にギヤ室１１ｄが設けられ、該ギヤ室１１ｄには、カム枠１５を回動駆動するためのロングギヤ２６がその軸心をＺ方向に沿わせた状態で回動可能に軸支されている。また、固定枠１１には、後に詳細に説明するが、その内周部の第１の領域に雌ヘリコイドネジ１１ｂと、雌ヘリコイドネジ１１ｂに連通し、光軸方向で第１の領域とは重畳しない第２の領域に円周方向に沿って形成された位置規制ガイド係合部（直進ガイド部材）（以下、ロック溝と称す）１１ｃと、Ｚ方向に沿ったキー溝１１ｆ，１１ｇとが設けられている。さらに、カム枠１５の沈胴回動終端の近傍位置検出用ミラー部（以下、ミラー部と称す）１５ｆ（図５参照）の位置を検出するためのカム枠回動位置検出センサ（図示せず）が内周部に配置されている。また、固定枠１１の内周部には、後述するカム枠１５との螺合の潤滑を良くするため、また反射防止の目的で、塗装が施されている。
【００２７】
尚、ロック溝１１ｃは、後述するカム枠１５のロック凸部１５ｄと係合し、カム枠１５が光軸方向に移動することを規制して光軸周りの回転のみを許容するようにカム枠１５を保持する位置規制ガイド係合部を構成している。
【００２８】
ここで、固定枠１１の内周面部をさらに説明すると、図９は、固定枠１１の内周面を展開して示した概略図である。図９に示すように、固定枠１１の後端側には、雌ヘリコイドネジ１１ｂが固定枠１１の中央部から後端部まで光軸方向（Ｚ方向）に沿って後述する雄ヘリコイドネジ１５ｂと略同一のリード角を以て、また、後述するカム枠１５の突起部１５ｄが通過する領域を避けて図に示すように複数形成されており、また、該雌ヘリコイドネジ１１ｂ間には、ギヤ室１１ｄ（図４参照）と、キー溝１１ｆ、１１ｇと、固定枠１１に装着されるシャッタ駆動制御回路，フォーカス駆動制御回路用のＦＰＣ１０９，１１０（図３参照）の通し溝部１１ｈ，１１ｆ及び穴部１１ｉと、後述するカム枠１５の３つのロック凸部１５ｄ（図５参照）が通過する凸部通過領域１１ｋ１，１１ｋ２，１１ｋ３が形成されている。
【００２９】
さらに、固定枠１１の前端側には、雌ヘリコイド１１ｂから所定幅１１ｍ（光軸方向で異なる領域）離間した前方位置に、円周方向に、例えば３箇所形成したロック溝１１ｃと、内面に向かって傾斜し雌ヘリコイドネジ１１ｂと略同一のリード角に形成され、後述するカム枠１５のロック凸部１５ｄがロック溝１５ｃに嵌入する際の案内部となり、また、カム枠１５の雄ヘリコイドネジ１５ｂが雌ヘリコイドネジ１１ｂに螺合した螺合状態と、後述するカム枠１５の突起部１５ｄが位置規制ガイド係合部１１ｃ（ロック溝）に係合した係合状態とにカム枠１５の連続的な回動に応じて切り換わるようにカム枠１５の移動をガイドするロック溝案内部１１ｌと、後述するカム枠１５が、固定枠１１内をワイド位置からテレ位置に向かって回動する際、後述するカム枠１５のストッパ１５ｌが係止するテレストッパ１１ｊが形成されている。また、ロック溝１１ｃと雌ヘリコイドネジ１１ｂとの所定幅１１ｍの領域には、後述する突起部１５ｄが位置規制ガイド係合部１１ｃ（ロック溝）に係合した係合状態でカム枠１５が回動する際に、雄ヘリコイドネジ１５ｂの光軸周りの回動を妨げないように形成されたヘリコイド回動逃げ部１１ｎが配設されている。
【００３０】
一方、ズーム駆動ユニット１３は、減速ギヤ列および終段アイドルギヤ２５を内蔵するギヤボックス２３と、ズーム駆動用ＤＣモータであるズームモータ２４とを有してなる。このズーム駆動ユニット１３は、ギヤボックス２３のビス挿通穴２３ａ，２３ｂを挿通させたビスを固定枠１１のロングギヤ室１１ｄ端部のビスネジ穴１１ｅ等に螺着して固定枠１１の外周部に固定される。その固定状態でアイドルギヤ２５は、ロングギヤ２６と噛合する。なお、ロングギヤ２６は、ズームファインダ駆動用ギヤ７５（図３参照）とも噛合している。また、ズームモータ２４には、図示しないスリット板とフォトインタラプタが配設されており、フォトインタラプタからのパルス検出信号により、後述する各レンズ群のズーム位置が制御される。
【００３１】
ＣＣＤユニット１２は、撮像用開口部２２ａおよびロングギヤ軸支穴２２ｂを有するＣＣＤホルダ２２と、開口部２２ａ内側に配置されるローパスフィルタ６１（図６参照）と、ＣＣＤホルダ１２の背面に固着されるＣＣＤ基板６３（図６参照）と、該ＣＣＤ基板６３上に実装され、撮像面が光軸Ｏと直交しているＣＣＤ６２（図６参照）と、該ＣＣＤ６２をＣＣＤホルダ１２に対して位置決めするためのＣＣＤ位置決め板６４（図６参照）とを有してなる。なお、ローパスフィルタ６１とＣＣＤ６２との間には、ＣＣＤゴム６５（図６参照）が圧縮状態で挟持されている。
【００３２】
フロートキー１４は、金属板製のリング部材で構成されており、開口部１４ａを有し、前方に向けてＺ方向に平行状態で延出する２本のキー部１４ｄ，１４ｆと、外周に突出し、固定枠１１のキー溝１１ｆ，１１ｇに摺動自在に嵌入する２つの凸部１４ｂ，１４ｃとが設けられている。一方のキー部１４ｄの先端部１４ｅは、僅かに幅寸法が広がる段形状を有している。このフロートキー１４の前側には、開口部２７ａを有するリング形状のフロートガイド２７がキー部１４ｄ，１４ｆの外側に挿入され、ビスにより固着されている。フロートガイド２７の外周には、複数の凸状の爪部２７ｂが設けられる。
【００３３】
尚、フロートキー１４は、リング形状のプレス成形部材であるがキー部１４ｆをリング状外側から、キー部１４ｄをリング状内側から折り曲げるようにして形成して、効率のよいブランク板取りを可能にしている。また、キー部１４ｄと１４ｆに対して、直進ガイド時の負荷は先端部１４ｅを持つキー部１４ｄの方に多く作用するが、上述のように折り曲げることにより、キー部１４ｄ側の方の強度を大きくすることができる（これは、キー部１４ｄ側のリング形状部とのつながり部分の幅（肉厚）が広くとれるためである）。
【００３４】
カム枠１５は、開口部１５ａを有する円環状部材であって、後に詳細に説明するが、その外周部後端側の第３の領域に形成された、前記固定枠１１の雌ヘリコイドネジ１１ｂと螺合可能である雄ヘリコイドネジ１５ｂと、ロングギヤ２６と噛合し、該雄ヘリコイドネジ１５ｂに重畳した状態の平歯車形状のギヤ部１５ｃと、該雄ヘリコイドネジ中に配されるミラー部１５ｆと、雄ヘリコイドネジ１５ｂに対して所定幅離間した前方位置の第４の領域（光軸方向で異なる領域及び光軸方向で第３の領域とは重畳しない領域）に、その外周部が固定枠１１の位置規制ガイド係合部（ロック溝）１１ｃに径方向で嵌合可能な例えば３つの突起部（ロック凸部）１５ｄとが設けられている。
【００３５】
さらに、カム枠１５の内周面部１５ｇには、後方端側にフロートガイド２７の爪部２７ｂが摺動自在に嵌入する、周方向に沿ったフロートキーガイド１５ｊと、光軸Ｏ方向に対して斜行する、例えば３本のカム溝１５ｅが設けられている。そして、カム枠１５のロック凸部１５ｄより前方側の外周部には、外装キャップ部となる金属筒３１が嵌合、固着されている。また、カム枠１５の内周面部１５ｇには、後述するカム枠１５との螺合の潤滑を良くするため、また反射防止の目的で、塗装が施されている。
【００３６】
ここで、カム枠１５の内周面部１５ｇを説明すると、図１０は、カム枠１５の内周面を展開して示した概略図、図１１は、図１０のカム枠においてズーム枠１６に固着された第１のカムフォロアであるカムフォロア３５が嵌入するカム溝１５ｅを示した拡大断面図、図１２は、図１０のカム枠において２群枠２０に固着された第２のカムフォロアであるカムフォロア３６が嵌入するカム溝１５ｅを示した拡大断面図である。
【００３７】
図１０に示すように、カム枠１５の内周面部１５ｇには、同形状をもつ３本のカム溝１５ｅが図に示すようにそれぞれ連続して形成されており、それぞれのカム溝１５ｅは、図１１に示すように、例えばθ１＝３５°のテーパ角を以った内周溝面１５ｅ１を有する第１のカム部である領域Ｉと、図１２に示すように、例えばθ１より大きいθ２＝４８°のテーパ角を以った内周溝面１５ｅ２を有する第２のカム部である領域ＩＩとで構成され、領域Ｉと領域ＩＩは連続して形成されている。
【００３８】
領域Ｉは、後述するズーム枠１６に固着されたカムフォロア３５が嵌入する領域であり、ズーム枠１６に固着された１群枠１９をテレ位置１６Ｃと、ワイド位置１６Ｂに移動されるカム溝が形成されている。
【００３９】
領域ＩＩは、後述する２群枠２０に固着されたカムフォロア３６が嵌入する領域及び前記ズーム枠１６に固着されたカムフォロア３５が嵌入する領域であり、１群枠１９を沈胴位置１６Ａ、２群枠２０をテレ位置２０Ｃ、ワイド位置２０Ｂ、沈胴位置２０Ａにそれぞれ移動させるカム溝が形成されている。
【００４０】
また、カム枠１５の内周面部１５ｇには、光軸方向に沿って複数本形成されたカム枠１５の金型形成時の型割の際のバリ逃げ溝１５ｉと、光軸方向前側に内周ガイド溝１５ｈと、光軸方向後側に後述するフロートガイド２７の爪部２７ｂが嵌入するフロートキーガイド１５ｊが形成されている。
【００４１】
さらに、カム枠１５の外周面を説明すると、図１３は、カム枠１５の外周面を展開して示した概略図である。図１３に示すように、外周面部前端側（ズーム枠１６）側には、金属筒３１（図５参照）が嵌合、固着される領域１５ｎが形成されており、該領域１５ｎには、外周部中央から前端まで光軸方向に沿って複数本形成された、カム枠１５の金型形成時の型割の際のバリの逃げ部となる凹状のパーティング逃げ１５ｏと、前端部外周に形成された金属筒３１を固着する際の接着材のたまり部１５ｐが形成されている。
【００４２】
また、後端側（固定枠側）の外周には、雄ヘリコイドネジ１５ｂと、ギヤ部１５ｃが複数本、図に示すように所定のリード角を以て形成されており、該雄ヘリコイドネジ１５ｂ間には、ミラー部１５ｆが固着されるミラー凹部１５ｍが形成され、さらに、雄ヘリコイドネジ１５ｂとギヤ部１５ｃの間には、略Ｎ型形状のストッパ１５ｌが雄ヘリコイドネジ１５ｂと略同一の所定のリード角を以て形成されている。該ストッパ１５ｌには、後端側にカム枠１５の固定枠１１に対する沈胴位置のストッパとなる切り欠き１５ｑが形成されており、また前端側には、カム枠１５の固定枠１１に対するテレ位置のストッパとなる切り欠き１５ｒが形成されている。
【００４３】
さらに、カム枠外周の後半側の中程には、雄ヘリコイドネジ１５ｂに対して所定幅（光軸方向で異なる領域）離間した前方位置（第４の領域）に３つのロック凸部１５ｄが雄ヘリコイドネジ１５ｂと略同一のリード角を以て形成されている。このように、３つのロック凸部１５ｄと雄ヘリコイドネジ１５ｂを別の位置に形成することで、カム枠１５の回転角を大きくすることができ、またロック凸部１５ｄ、雄ヘリコイドネジ１５ｂをガイドする固定枠１１のガイド部が形成しやすくなるといった利点がある。
【００４４】
図５に戻って、ズーム枠１６は、前方開口部１６ａを有する円環状筒部材で構成されていて、その後方外周に延び出した３つの突出片１６ｄに設けられた取り付け穴には、カム枠１５のカム溝１５ｅに摺動自在に嵌入する、例えば３つのカムフォロア３５が嵌合固着されている。また、前記ズーム枠１６の内周部には、光軸Ｏと平行な方向に沿った溝であって、フロートキー１４（図４参照）のキー部１４ｄの先端１４ｅおよびキー部１４ｆが摺動自在に嵌入するガイド溝１６ｂ，１６ｃが設けられている。
【００４５】
ここで、カムフォロア３５の形状を説明すると、図１４は、ズーム枠１６に固着されたカムフォロア３５の拡大図である。図１４に示すように、前記カムフォロア３５は、外周に２つの異なるテーパ角を有する台形形状をなして形成されており、該カムフォロア３５のカム溝１５ｅ側の外周３５ａは、例えばテーパ角θ２＝４８°に形成されており、前記カムフォロア３５のズーム枠１６側の外周３５ｂは、例えばテーパ角θ１＝３５°に形成されている。
【００４６】
尚、カムフォロア３５が、２つの異なるテーパ角の外周に形成されているのは、ズーム枠１６は、外部からの衝撃を受けやすいため、カムフォロア３５とカム溝１５ｅとの嵌合が外れるのを防止するためテーパ角を高くする必要があるからであり、また、後述するズーム枠１６に固着される１群枠１９の沈胴領域を、後述する２群枠２０のカムフォロア３６が嵌入するテーパ角が例えばθ２＝４８°の領域ＩＩ(図１２参照)と兼ねているからである。
【００４７】
再び図５に戻って、ズーム枠１６の後方突出片１６ｄより前方の外周部には、外装キャップ部となる金属筒３２が嵌合、固着され、さらに、前面部には、前飾り板３３が貼付されている。
【００４８】
合焦駆動枠ユニット１７は、合焦駆動枠１８と、該合焦駆動枠１８に固着される、例えばステッピングモータからなるフォーカスモータ４１と、１群枠１９を進退自在に支持する１群枠ガイドロッド４２（図６参照）と、該ガイドロッド４２に挿入され、１群枠１９を後方に付勢する圧縮バネである付勢バネ４４（図６参照）と、フォーカスモータ４１により回転駆動される１群枠進退駆動用送りネジ部（図示せず）とを有してなる。
【００４９】
合焦駆動枠１８は、ズーム枠１６の内部にビスにより固着される枠部材であって、１群ガイドロッド４２を光軸Ｏと平行な方向で支持しており、さらに、１群ガイドロッド４２の側方位置に回転自在に支持される送りネジ部が設けられている。送りネジ部は、フォーカスモータ４１によりピニオンを介して回転駆動され、この送りネジの回転によって１群枠１９が前記付勢バネ４４に抗して１群ガイドロッド４２に沿って進退駆動される。なお、１群枠１９の進退方向のガタ分は、前記付勢バネ４４の付勢力により取り除かれる。
【００５０】
１群枠１９は、その内周部に１群レンズ４７が保持されており、スリーブ穴１９ｂ（図６参照）に位置調整後に接着固定されるスリーブ４３（図６参照）を有している。前記１群枠１９は、スリーブ４３に前記１群ガイドロッド４２を摺動自在に嵌入させ、さらに、１群枠１９の図示しないガイド突起を合焦駆動枠１８のガイド溝に嵌入させた状態でズーム枠１６内に光軸Ｏ方向に進退可能に組み付けられる。
【００５１】
なお、ガイドロッド４２は、１群レンズ４７の芯合わせを行って前記合焦駆動枠１８に接着固定される。すなわち、前記ガイドロッド４２の前方端部は、ズーム枠１６の軸穴に嵌入し、後方端部は、合焦駆動枠１８の軸穴１８ｃに位置調整ガタ分の隙間のある状態で嵌入して支持可能であり、合焦駆動枠１８の組み込み時にガイドロッド４２は、前記１群レンズ４７のスリーブ４３を挿通させて両端をズーム枠１６の軸穴と前記合焦駆動枠１８の軸穴１８ｃで支持した状態とする。
【００５２】
そこで、ズーム枠１６の外周部を基準にして１群枠１９に固着された前記１群レンズ４７の光軸を上下左右にガイドロッド４２の傾きを変えながら調整して芯合わせする。その芯合わせ状態で軸穴１８ｃとガイドロッド４２との隙間に接着剤を注入して、ガイドロッド４２の軸端の光軸Ｏ直交方向の位置を固定する。ガイドロッド４２の位置移動操作は、ガイドロッド４２の後端側凹部に操作具を挿入して行うことができる。また、ガイドロッド４２には、光軸Ｏと平行方向の位置規制のために軸穴１８ｃの前方にＥ型ガタ止め輪４５が装着されており、さらに、止め輪４５と軸穴１８ｃの壁面との間には、座金４６が挿入されている。この座金４６により注入された接着剤のもれ出しが防止される。
【００５３】
２群枠２０には、その開口部前面に絞り２０Ａが装着され、該絞り２０Ａの後方に２群レンズ４８が保持されている。前記２群枠２０の外方３箇所には、カム枠１５のカム溝１５ｅに摺動自在に嵌入する、例えば３つのカムフォロア３６が固着されており、さらに、外方２箇所にフロートキー１４のキー部１４ｄ，１４ｆが嵌入するガイド穴２０ｅ，２０ｆが設けられている。また、２群枠２０の上方部は、切り欠き部２０ｇが設けられている。該切り欠き部２０ｇは、レンズ鏡筒１０のズーム駆動時にフォーカスモータ４１の進退移動を許容するスペースとなる。
【００５４】
ここで、カムフォロア３６の形状を説明すると、図１５は、２群枠２０に固着されたカムフォロア３６の拡大図である。図１５に示すように、前記カムフォロア３６は、外周面３６ａに例えばθ２＝４８°のテーパ角を有する台形形状をなして形成されている。
【００５５】
図５に戻って、シャッタユニット２１は、中央部に絞り開口３７ａと上方に切り欠き部３７ｓが設けられたシャッタ地板３７と、該シャッタ地板３７の背面側に収納される開閉回動可能な２枚のシャッタ羽根４９，５０および１枚の減光用ＮＤフィルタ５１と、シャッタ地板３７に固着される２つのムービングコイル型アクチュエータであって、シャッタ駆動源であるシャッタアクチュエータ５２およびフィルタ駆動源であるフィルタアクチュエータ５４と、シャッタ羽根４９，５０およびＮＤフィルタ５１を光軸Ｏ方向を規制するためのシャッタ押さえ３８とを有してなる。なお、切り欠き部３７ｓは、ズーム駆動時にフォーカスモータ４１の進退移動を許容するスペースとなる。
【００５６】
シャッタユニット２１は、２群枠２０に対して、その背面側に固定して一体化される。すなわち、２群枠２０にシャッタ地板３７の係止爪３７ｃを係止させた状態でビスにより該シャッタ地板３７を２群枠２０の背面側に固定して一体化される。よって、本実施の形態におけるレンズ鏡筒においては、シャッタユニット２１を２群枠２０の背面側に配置したため、図６に示す沈胴状態において、１群レンズ４７と２群レンズ４８を限りなく近づけることができるため、沈胴状態でカメラ本体１（図１参照）を薄型化することができる。
【００５７】
また、シャッタユニット２１の前記シャッタ押さえ３８の背面には、図６に示すように弾性変形可能な遮光シート５５が配置されている。遮光シート５５は、図７に示すように光軸Ｏ近傍がビス止めされ、上半部が自由状態でシャッタ押さえ３８に密着して支持されている。前記遮光シート５５により２群枠２０や前記シャッタ地板３７の切り欠き部２０ｇ，３７ｓからＣＣＤユニット１２側への不要光が遮光される。そして、フォーカスモータ４１が切り欠き部２０ｇ，３７ｓに進入してきたときには、図６，８に示すようにフォーカスモータ４１の後端部で前記遮光シート５５が押圧され、後方に弾性変形することにより、フォーカスモータ４１の進入が可能となる。
【００５８】
上述したレンズ鏡筒１０の各構成部材は、一例として以下の手順で組み立てられる。勿論、他の手順で組み立てることも可能である。まず、カム枠１５の内周部１５ｇに後方側からズーム枠１６を嵌入させ、該ズーム枠１６のカムフォロア３５をカム溝１５ｅに嵌入させ、１群枠１９および合焦駆動ユニット１７が装着されたズーム枠１６をカム枠１５に組み込む。そして、カム枠１５の内部にシャッタユニット２１が一体化された２群枠２０を挿入して、２群枠２０の前記カムフォロア３６を共通のカム溝１５ｅに嵌入させる。
【００５９】
さらに、フロートガイド２７が装着されたフロートキー１４を、カム枠１５の後面側から挿入し、キー部１４ｄ，１４ｆを２群枠２０のガイド穴２０ｅ，２０ｆに挿通させる。さらに、キー部１４ｄの先端部１４ｅをズーム枠１６のガイド溝１６ｂ側に嵌入させ、キー部１４ｆをズーム枠１６のガイド溝１６ｃ側に嵌入させる。
【００６０】
その後、フロートガイド２７の凸部１４ｂを、カム枠１５の内周ガイド溝１５ｈに嵌入させる。なお、フロートガイド２７の凸部１４ｂが内周ガイド溝１５ｈに嵌入し、かつ、後述するようにフロートキー１４の凸部１４ｂ，１４ｃが固定枠１１に直進ガイドされることから、フロートキー１４は、固定枠１１に対して回転規制された状態で光軸Ｏ方向にはカム枠１５と一体的に進退移動することになる。
【００６１】
続いて、ズーム枠１６，２群枠２０，フロートキー１４等が組み込まれたカム枠１５を固定枠１１の後面側から挿入し、後に詳細に説明するが、上記カム枠１５の雄ヘリコイドネジ１５ｂを固定枠１１の雌ヘリコイドネジ１１ｂに螺合させ、かつ、フロートキー１４の凸部１４ｂ，１４ｃを固定枠１１のキー溝１１ｆ，１１ｇに嵌入させる。そこで、ロングギヤ２６（図４参照）を固定枠１１のギヤ室１１ｄに挿入して前記ロングギヤ２６の前方軸支穴２６ａを図示しない固定枠側軸支ピン部に嵌合させておく。
【００６２】
その後、後方よりＣＣＤ６２等が組み付けられたＣＣＤユニット１２の前記ＣＣＤホルダ２２を装着し、前記ＣＣＤホルダ２２の軸支穴２２ｂにロングギヤ２６の軸端２６ｂを嵌入させて、ＣＣＤホルダ２２をビスにより前記固定枠１１に固着する。以上の組み付けによりレンズ鏡筒１０が完成する。  
次に、レンズ鏡筒１０の進退駆動動作について説明する。  
図１に示すようにレンズバリア５が閉位置にあってレンズ鏡筒１０がカメラ内に繰り込まれた沈胴状態にあるときは、図６に示すように固定枠１１の内部にズーム枠１６および１，２群枠１９，２０等すべてが収納された状態に保持される。具体的には、カム枠１５の雄ヘリコイドネジ１５ｂは、固定枠１１の雌ヘリコイドネジ１１ｂに螺合した状態（螺合状態）で、かつカム枠１５の３つのロック凸部１５ｄは、固定枠１１の凸部通過領域１１ｋ１乃至１１ｋ３の沈胴位置１５ｄ１（図９参照）に位置する。また、１群枠１９と２群枠２０は、極接近して位置する。
【００６３】
このとき、ズーム枠１６および２群枠２０のカムフォロア３５，３６は、それぞれ共通のカム溝１５ｅの沈胴終端位置に位置している。具体的には、３つカムフォロア３５は、図１０に示す３つのカム溝１５ｅのそれぞれ領域ＩＩの１群枠１９の沈胴位置１６Ａにそれぞれ位置し、３つのカムフォロア３６は、図１０に示す３つのカム溝１５ｅの領域ＩＩの２群枠２０の沈胴位置２０Ａにそれぞれ位置している。また、この沈胴状態でフォーカスモータ４１は、図６に示すように、２群枠２０およびシャッタ地板３７の切り欠き部２０ｇ，３７ｓに進入した位置にあり、フォーカスモータ４１の後端部でシャッタ押さえ３８に装着される遮光シート５５が押圧され、後方に変形させた状態に保持されている。
【００６４】
そこで、図２に示すようにレンズバリア５を開放位置にスライド操作すると、カメラ内の制御部の指示にしたがってレンズ鏡筒１０は、沈胴状態から図７に示す撮影可能なワイド状態に繰り出される。すなわち、ズームモータ２４が駆動され、ロングギヤ２６が回転し、ギヤ部１５ｃを介してカム枠１５が時計回りに回動駆動され、雌，雄ヘリコイドネジ１１ｂ，１５ｂを介して回転しながら前方に繰り出される。そして、カム枠１５のロック凸部１５ｄが固定枠１１のロック溝１１ｃに嵌入した状態となる。このロック溝嵌入状態では、カム枠１５は、ズームモータ２４の回転によって光軸方向に進退することなく撮影可能状態のワイド回動位置とテレ回動位置間を回動する。さらに詳しくは、カム枠１５の雄ヘリコイドネジ１５ｂは、固定枠１１の所定幅１１ｍを以ったヘリコイド回動逃げ部１１ｎに嵌入し、かつカム枠１５の３つのロック凸部１５ｄは、固定枠１１の凸部通過領域１１ｋ１乃至１１ｋ３から飛び出した位置１５ｄ２（図９参照）に位置する。
【００６５】
一方、このときズーム枠１６は、フロートキー１４により回転規制された状態でカム枠１５とともに繰り出され、さらに、カム枠１５のカム溝１５ｅによりカムフォロア３５を介して撮影可能なワイド位置に繰り出される。具体的には、３つのカムフォロア３５は、図１０に示す３つのカム溝１５ｅの領域Ｉの１群枠１９のワイド位置１６Ｂにそれぞれ位置している。よって、１群枠１９もワイド位置に繰り出される。尚、このワイド位置は、固定枠１１に対してカム枠１５が最も繰り出された位置である。
【００６６】
ここで、カムフォロア３５の沈胴位置１６Ａからワイド位置１６Ｂへの移動を説明すると、図１６は、図１２のカム溝と図１４のカムフォロア３５の嵌入状態を示した拡大図である。
【００６７】
上述したように、カムフォロア３５は、沈胴状態では、図１０に示す領域ＩＩの１群枠１９の沈胴位置１６Ａに位置している。領域ＩＩは、図１２に示すように、θ２＝４８°のテーパ角を以った内周溝面１５ｅ２を有している。よって、図１６に示すように、図１４に示すカムフォロア３５は、沈胴位置１６Ａからワイド位置１６Ｂへ移動する際は、カムフォロア３５の、例えばテーパ角θ２＝４８°に形成された外周３５ａが、上述した図１２に示すカム溝１５ｅの内周溝面１５ｅ２に嵌入して移動する。
【００６８】
さらに、２群枠２０もフロートキー１４により回転規制された状態でカム枠１５とともに繰り出され、さらに、カム枠１５のカム溝１５ｅによりカムフォロア３６を介して撮影可能なワイド位置に繰り出される。具体的には、３つのカムフォロア３６は、図１０に示す３つのカム溝１５ｅの領域ＩＩの２群枠２０のワイド位置２０Ｂにそれぞれ位置している。
【００６９】
ここで、カムフォロア３６の沈胴位置２０Ａからワイド位置２０Ｂへの移動を説明すると、図１７は、図１２のカム溝と図１５のカムフォロア３６の嵌入状態を示した拡大図である。
【００７０】
上述したように、カムフォロア３６は、沈胴状態では、図１０に示す領域ＩＩの２群枠２０の沈胴位置２０Ａに位置している。領域ＩＩは、図１２に示すように、θ２＝４８°のテーパ角を以った内周溝面１５ｅ２を有している。よって、図１７に示すように、図１５に示すカムフォロア３６は、沈胴位置２０Ａからワイド位置２０Ｂへ移動する際は、カムフォロア３６の例えばテーパ角θ２＝４８°に形成された外周３６ａが、上述した図１２に示すカム溝１５ｅの内周溝面１５ｅ２に嵌入して移動する。
【００７１】
なお、このワイド状態では、図７に示すように、２群枠２０とフォーカスモータ４１とは、互いに離間した位置にあるので遮光シート５５は、シャッタ押さえ３８に密着した状態に保持されており、２群枠２０の切り欠き部２０ｇからの不要光が遮光される。
【００７２】
撮影可能なワイド状態からズームモータ２４を駆動し、カム枠１５をさらに時計回りに回動させると、図８に示すように、ズーム枠１６とともに１群枠１９がフロートキー１４により回転規制状態でテレ位置に向けて進退移動する。具体的には、カム枠１５の雄ヘリコイドネジ１５ｂ間に形成された前方切り欠き１５ｒ（図１３参照）が、固定枠１１のテレストッパ１１ｊ（図９参照）に係止し、かつカム枠１５の３つのロック凸部１５ｄは、固定枠１１の凸部通過領域１１ｋ１乃至１１ｋ３から飛び出し、ロック溝案内部１１ｌを介してロック溝１１ｃに嵌入して係合状態となり、該ロック溝１１ｃのテレ位置１５ｄ３（図９参照）に位置する。尚、カム枠１５は、ワイド位置ｄ２とテレ位置ｄ３との間を、撮影者の意図に応じてまたは自動的に自在に移動される。
【００７３】
さらに、このとき１群枠１９は、カム枠１５のカム溝１５ｅによりカムフォロア３５を介してテレ位置に繰り出される。具体的には、３つのカムフォロア３５は、図１０に示す３つのカム溝１５ｅの領域Ｉの１群枠１９のテレ位置１６Ｃにそれぞれ位置している。尚、カムフォロア３５は、ワイド位置１６Ｂとテレ位置１６Ｃとの間を、撮影者の意図に応じて、または自動的に自在に移動される。
【００７４】
ここで、カムフォロア３５のワイド位置１６Ｂからテレ位置１６Ｃへの移動を説明すると、図１８は、図１１のカム溝と図１４のカムフォロア３５の嵌入状態を示した拡大図である。
【００７５】
上述したように、カムフォロア３５は、ワイド状態では、図１０に示す領域Ｉの１群枠１９のワイド位置１６Ｂに位置している。領域Ｉは、図１１に示すように、θ１＝３５°のテーパ角を以った内周溝面１５ｅ１を有している。よって、図１８に示すように、図１４に示すカムフォロア３５は、ワイド位置１６Ｂからテレ位置１６Ｃへ移動する際は、カムフォロア３５の、例えばテーパ角θ１＝３５°に形成された外周３５ｂが、上述した図１１に示すカム溝１５ｅの内周溝面１５ｅ１に嵌入して移動する。よって、カムフォロア３５の外周３５ａはこの場合、カム溝１５ｅの内周溝面１５ｅ１から離間した状態となる。
【００７６】
同様に２群枠２０もフロートキー１４により回転規制状態でテレ位置に進退移動する。さらに、カム枠１５のカム溝１５ｅによりカムフォロア３６を介してテレ位置に繰り出される。具体的には、３つのカムフォロア３６は、図１０に示す３つのカム溝１５ｅの領域ＩＩの２群枠２０のテレ位置２０Ｃにそれぞれ位置している。尚、カムフォロア３６のワイド位置２０Ｂからテレ位置２０Ｃへの移動は、図１７に示したカムフォロア３６の沈胴位置２０Ａからワイド位置２０Ｂへの移動と同じように、カムフォロア３６がカム溝１５ｅに嵌入して移動する。また、カムフォロア３６は、ワイド位置２０Ｂとテレ位置２０Ｃとの間を、撮影者の意図に応じて、または自動的に自在に移動される。
【００７７】
テレ状態にあるときは、図８に示すように１群枠１９と２群枠２０は、極接近して位置する。したがって、フォーカスモータ４１が２群枠２０，シャッタ地板３７の切り欠き部２０ｇ，３７ｓに進入するので、遮光シート５５がフォーカスモータ４１によって押圧され、変形して後方に傾斜する。しかし、切り欠き部２０ｇ，３７ｓには、フォーカスモータ４１が位置していることから切り欠き部２０ｇ，３７ｓからの不要光の漏れは殆どない。
【００７８】
撮影終了後、レンズバリア５を閉方向にスライド移動させると、ズームモータ２４が回転駆動され、カム枠１５が反時計回りにワイド回動位置を経て沈胴回動位置に向けて回転駆動される。具体的には、固定枠１１のテレストッパ１１ｊに係止していたカム枠１５の前方切り欠き１５ｒが外れ、雄ヘリコイドネジ１５ｂが固定枠１１の雌ヘリコイドネジ１１ｂに螺合して螺合状態となり、かつカム枠１５の３つのロック凸部１５ｄは、固定枠１１のロック溝１１ｃのテレ位置１５ｄ３に係合している係合状態から、ロック溝案内部１１ｌを介して凸部通過領域１１ｋ１乃至１１ｋ３に戻り、該凸部通過領域１１ｋ１乃至１１ｋ３の沈胴位置１５ｄ１（図９参照）に位置する。
【００７９】
それと同時に、カムフォロア３５，３６が共通のカム溝１５ｅを摺動してズーム枠１６，２群枠２０等が沈胴位置に向けて繰り込まれる。具体的には、３つのカムフォロア３５は、図１０に示す３つのカム溝１５ｅの領域ＩＩの１群枠１９の沈胴位置１６Ａにそれぞれ位置し、３つのカムフォロア３６は、図１０に示す３つのカム溝１５ｅの領域ＩＩの２群枠２０の沈胴位置２０Ａにそれぞれ位置している。尚、沈胴時のカムフォロア３５，３６とカム溝１５ｅの嵌入状態は、上述したワイド及びテレ繰り出し時の嵌入状態と同じである。
【００８０】
ここで、カム枠１５が沈胴回動位置の終端近傍まで回動したとき、固定枠１１に取り付けられた、図示しないカム枠回動位置検出センサによりカム枠１５のミラー１５ｆが検出される。よって、カメラの制御部の指示によりズームモータ２４は、図示しないスリット板とフォトインタラプタからのパルス検出信号により減速駆動モードに入り、その後、カム枠１５が沈胴終端回動位置に到達したときに停止する。
【００８１】
図１９は、レンズ鏡筒１０の沈胴状態から撮影可能なワイド状態、さらに、テレ状態への変化に対応する、結像面（ＣＣＤ撮像面）に対する各レンズ群の進退位置を示す図である。図１９に示すように１群レンズ４７，２群レンズ４８は、沈胴位置から撮影可能なワイド位置に向けてほぼ直線的に繰り出され、さらに、それぞれのテレ位置へ繰り出し、または移動する。
【００８２】
また、ワイド状態からテレ状態の間での合焦駆動動作は、ＣＣＤ６２（図６乃至図８参照）による撮像信号によって合焦データに基づいてフォーカスモータ４１（図５参照）が駆動制御され、１群枠４７がズーム枠１６に対して相対的に各合焦位置に進退駆動され、合焦が行われる。
【００８３】
このように構成された本発明の実施の形態におけるレンズ鏡筒は、ズーム枠１６と２群枠２０の移動を、カム枠１５に連続して形成された１本のカム溝１５ｅで行うことにより、カム枠１５が固定枠２０に対して回転することで、ズーム枠１６及び２群枠２０は、回転せずに光軸方向に移動してズーミングを行うことができるため、レンズ鏡筒１０の構造を単純化することができる。
【００８４】
また、カム枠１５に、固定枠１１と螺合する雄ヘリコイド１５ｂの他に、該雄ヘリコイド１５ｂから前方に離間した位置に３つのロック凸部１５ｄを設けたため、カム枠１５の回転角を大きくすることができ、またロック凸部１５ｄ、雄ヘリコイドネジ１５ｂをガイドする固定枠１１のガイド部が形成しやすくなる。さらに、カム枠１５の突起部１５ｄが位置規制ガイド係合部１１ｃに係合した係合状態において、雄ヘリコイドネジ１５ｂを回動可能とする回動逃げ部が位置規制ガイド係合部１１ｃと光軸方向で重畳しないので、回転角を大きくできると共に配置構成の自由度を大きくできる。
【００８５】
さらに、レンズ鏡筒１０は、カム枠１５の雄ヘリコイドネジ１５ｂと、固定枠１１の雌ヘリコイドネジ１１ｂが螺合し、カム枠１５が回動することにより、レンズ鏡筒１０の沈胴位置とワイド位置とに移動し、その後、カム枠１５のロック凸部１５ｄが、雄ヘリコイドネジ１５ｂから飛び出して固定枠１１のロック溝１１ｃと嵌合することにより、第１群枠１９、第２群枠２０がワイド位置とテレ位置の直進退移動する構造をもつことから、第１群枠１９、第２群枠２０の直進退移動に別途ヘリコイドを設ける必要がなく、またズーム駆動用の動力を切り換える必要がないため、レンズ鏡筒１０の構造を簡易化することができ、レンズ鏡筒を小型化することができる。
【００８６】
尚、本実施の形態においては、ズーム枠１６及び２群枠２０のカムフォロア３５，３６は、それぞれ３つ形成したが、これに限らず、前記カムフォロア３５，３６が嵌入するカム枠１５のカム溝１５ｅの本数を変更すれば、幾つに設定しても良いことは勿論である、
またカム枠１５のカム溝１５ｅは、ズーム枠１６のカムフォロア３５が嵌入する内周溝部のテーパ角を３５°、２群枠２０のカムフォロア３６が嵌入する内周溝部のテーパ角を４８°と設定したが、カムフォロア３５，３６の外周のテーパ角に合わせれば、何度に設定しても良いことは云うまでもない。
【００８７】
さらに、本発明の実施の形態は、デジタルカメラを例に挙げて説明したが、銀塩カメラ及びビデオカメラ等に適用しても同様の効果が得られるということは勿論である。
【図面の簡単な説明】
【００８８】
【図１】本発明によるレンズ鏡筒が組み込まれたカメラのバリア閉状態を示す斜視図。
【図２】図１のカメラのバリア開状態を示す斜視図。
【図３】本発明の一実施の形態を示すレンズ鏡筒の斜視図。
【図４】図３のレンズ鏡筒の固定枠側の構成部材を示す分解斜視図。
【図５】図３のレンズ鏡筒のカム枠側の構成部材を示す分解斜視図。
【図６】図３のレンズ鏡筒の沈胴状態における上半分を断面にして示す拡大縦断面図。
【図７】図３のレンズ鏡筒のワイド状態における上半分を断面にして示す拡大縦断面図。
【図８】図３のレンズ鏡筒のテレ状態における上半分を断面にして示す拡大縦断面図。
【図９】図３のレンズ鏡筒の固定枠の内周面の構成の概略を示す展開図。
【図１０】図３のレンズ鏡筒のカム枠の内周面の構成の概略を示す展開図。
【図１１】図１０のカム枠に設けられたカム溝における領域Ｉのカム溝の形状を示す拡大断面図。
【図１２】図１０のカム枠に設けられたカム溝における領域ＩＩのカム溝の形状を示す拡大断面図。
【図１３】図３のレンズ鏡筒のカム枠の外周面の構成の概略を示す展開図。
【図１４】図３のレンズ鏡筒のズーム枠に固着されたカムフォロアの拡大側面図。
【図１５】図３のレンズ鏡筒の２群枠に固着されたカムフォロアの拡大側面図。
【図１６】図１２のカム溝に対する図１４のカムフォロアの嵌入状態を示す拡大側面図。
【図１７】図１２のカム溝に対する図１５のカムフォロアの嵌入状態を示す拡大側面図。
【図１８】図１１のカム溝に対する図１４のカムフォロアの嵌入状態を示す拡大側面図。
【図１９】図３のレンズ鏡筒の沈胴状態、撮影可能なワイド状態、テレ状態における結像面に対する各レンズ群の進退位置を示す図。
【符号の説明】
【００８９】
１０…レンズ鏡筒、
１１…固定枠（支持枠）
１１ｂ…雌ヘリコイドネジ
１１ｃ…ロック溝（位置規制ガイド係合部，直進ガイド部材）
１１ｎ…ヘリコイド回動逃げ部
１１ｋ１，１１ｋ，１１ｋ３…収納領域
１１ｌ…ロック溝案内部（案内部）
１５…カム枠（回転枠）
１５ｂ…雄ヘリコイドネジ
１５ｄ…ロック凸部（突起部）
１５ｅ…カム溝
１９…第１のレンズ枠
２０…第２のレンズ枠
３５…第１のカムフォロア
３６…第２のカムフォロア
【図１】
2008209954.tif 000003
【図２】
2008209954.tif 000004
【図３】
2008209954.tif 000005
【図４】
2008209954.tif 000006
【図５】
2008209954.tif 000007
【図６】
2008209954.tif 000008
【図７】
2008209954.tif 000009
【図８】
2008209954.tif 000010
【図９】
2008209954.tif 000011
【図１０】
2008209954.tif 000012
【図１１】
2008209954.tif 000013
【図１２】
2008209954.tif 000014
【図１３】
2008209954.tif 000015
【図１４】
2008209954.tif 000016
【図１５】
2008209954.tif 000017
【図１６】
2008209954.tif 000018
【図１７】
2008209954.tif 000019
【図１８】
2008209954.tif 000020
【図１９】
2008209954.tif 000021